(57)【要約】【課題】本発明には、レンズモジュール及び電子機器が提供される。【解決手段】そのうち、レンズモジュールは、鏡筒と、鏡筒内に収容される、光軸を有するレンズ群とを備え、鏡筒は、像側から物体側に向かって順次に延設された第１筒体と第２筒体を含み、第１筒体の外径は第２筒体の外径より大きく、第１筒体は、物体側に近い上面と、上面の光軸から離れた縁から像側に向かって延びる外壁と含み、外壁にねじが設けられており、外壁には、少なくとも１つの溝が光軸に向かって凹んで形成されており、溝は上面まで延びてねじを遮断する。本発明に提供された鏡筒は、第１筒体の外壁に少なくとも１つの溝が光軸に向かって凹んで形成されることで、レンズモジュールが電子機器における固定部材に取り付けられる際に、溝に接着剤を充填することによりレンズモジュールと固定部材を接着し、レンズモジュールの取付の確実性を向上させ、製品の品質を向上させることができる。【選択図】図１
2020109478.tif 000002
【特許請求の範囲】
【請求項１】
鏡筒と、前記鏡筒内に収容される、光軸を有するレンズ群とを備えるレンズモジュールであって、前記鏡筒は、像側から物体側に向かって順次に延設された第１筒体と第２筒体を含み、前記第１筒体の外径は前記第２筒体の外径より大きく、前記第１筒体は、物体側に近い上面と、前記上面の前記光軸から離れた縁から像側に向かって延びる外壁と含み、前記外壁にねじが設けられており、前記外壁には、少なくとも１つの溝が前記光軸に向かって凹んで形成されており、前記溝は前記上面まで延びて前記ねじを遮断することを特徴とするレンズモジュール。
【請求項２】
前記上面には、係止保持溝が像側に向かって凹んで形成されていることを特徴とする請求項１に記載のレンズモジュール。
【請求項３】
前記係止保持溝は前記溝と連通していることを特徴とする請求項２に記載のレンズモジュール。
【請求項４】
前記係止保持溝は少なくとも２つが設けられており、前記係止保持溝は前記第１筒体の周方向に均一に等間隔に配置されていることを特徴とする請求項２に記載のレンズモジュール。
【請求項５】
前記溝は少なくとも２つが設けられており、少なくとも２つの溝は前記光軸に対して周方向に対称的に配置されており、かつ前記溝は前記係止保持溝と一対一に対応して連通しており、又は、
前記溝は１つが設けられており、前記溝はいずれか１つの前記係止保持溝と連通していることを特徴とする請求項４に記載のレンズモジュール。
【請求項６】
前記係止保持溝は２つが設けられており、２つの前記係止保持溝は前記第１筒体の周方向に均一に等間隔に配置されており、又は、
前記係止保持溝は４つが設けられており、４つの前記係止保持溝は前記第１筒体の周方向に均一に等間隔に配置されていることを特徴とする請求項２に記載のレンズモジュール。
【請求項７】
請求項１乃至６のいずれか一項に記載のレンズモジュールと前記レンズモジュールを収容するための固定部材とを備え、前記固定部材は前記第１筒体にねじ込み接続され、前記溝内には、接着剤が充填されていることを特徴とする電子機器。
【発明の詳細な説明】
【技術分野】
【０００１】
本発明は、光学結像技術の分野に関し、特に、レンズモジュール及び当該レンズモジュールを用いた電子機器に関する。
【背景技術】
【０００２】
従来のレンズモジュールと電子機器の固定部材（例えば、モータ）はねじ込み接続の方法を用いて固定、取付を行うことが多く、具体的に鏡筒の外側壁にねじが環状に設けられており、固定部材にねじ穴が開設されており、レンズモジュールが固定部材にねじ込まれる。しかしながら、ねじ込み接続によるレンズモジュールは長時間にわたって使用すると、レンズモジュールを弛んでいることが生じやすくなり、レンズモジュールと固定部材の間の組み立てが不安定になり、確実性が低い。
【０００３】
したがって、組み立てが不安定になり、確実性が低いという従来のレンズモジュールの問題を解決するためのレンズモジュールを提供する必要がある。
【発明の概要】
【発明が解決しようとする課題】
【０００４】
本発明は、レンズの長さを効果的に短くすることができる鏡筒を提供することを１つの目的とする。
【課題を解決するための手段】
【０００５】
本発明の１つの目的は、以下の技術案を採用して実現する。
【０００６】
鏡筒と、前記鏡筒内に収容される、光軸を有するレンズ群とを備え、前記鏡筒は、像側から物体側に向かって順次に延設された第１筒体と第２筒体を含み、前記第１筒体の外径は前記第２筒体の外径より大きく、前記第１筒体は、物体側に近い上面と、前記上面の光軸から離れた縁から像側に向かって延びる外壁と含み、前記外壁にねじが設けられており、前記外壁には、少なくとも１つの溝が前記光軸に向かって凹んで形成されており、前記溝は前記上面まで延びて前記ねじを遮断するレンズモジュール。
【０００７】
１つの改良形態として、前記上面には、係止保持溝が像側に向かって凹んで形成されている。
【０００８】
１つの改良形態として、前記係止保持溝は前記溝と連通している。
【０００９】
１つの改良形態として、前記係止保持溝は少なくとも２つが設けられており、前記係止保持溝は前記第１筒体の周方向に均一に等間隔に配置されている。
【００１０】
１つの改良形態として、前記溝は少なくとも２つが設けられており、少なくとも２つの溝は前記光軸に対して周方向に対称的に配置されており、かつ前記溝は前記係止保持溝と一対一に対応して連通しており、又は、
前記溝は１つが設けられており、前記溝はいずれか１つの前記係止保持溝と連通している。
【００１１】
１つの改良形態として、前記係止保持溝は２つが設けられており、２つの前記係止保持溝は前記第１筒体の周方向に均一に等間隔に配置されており、又は、
前記係止保持溝は４つが設けられており、４つの前記係止保持溝は前記第１筒体の周方向に均一に等間隔に配置されている。
【００１２】
本発明は、上記のようなレンズモジュールと前記レンズモジュールを収容するための固定部材とを備え、前記固定部材は前記第１筒体にねじ込み接続され、前記溝内には、接着剤が充填されている電子機器を提供することをもう１つの目的とする。
【００１３】
従来技術に比べて、本発明の実施形態は、第１筒体の外壁に少なくとも１つの溝が光軸に向かって凹んで形成されることで、レンズモジュールが電子機器における固定部材に取り付けられる際に、溝に接着剤を充填することによりレンズモジュールと固定部材を接着し、レンズモジュールの取付の確実性を向上させ、製品の品質を向上させることができる。
【図面の簡単な説明】
【００１４】
【図１】本発明の実施例に提供されたレンズの斜視図である。
【図２】本発明の実施例に提供されたレンズの平面図である。
【図３】図２における線I−Iに沿った断面図である。
【発明を実施するための形態】
【００１５】
以下、図面及び実施形態を組み合わせて本発明をさらに説明する。
【００１６】
図１〜図３を参照すると、本発明の実施例には、鏡筒１０と、鏡筒１０の内部に収容される、光軸Ｌを有するレンズ群２０とを備え、レンズ群２０は、物体側から像側まで順次に積層設置された第１レンズ２１、第２レンズ２２、第３レンズ２３及び第４レンズ２４を含むレンズモジュール１００が提供される。当該レンズモジュール１００は、第１レンズ２１と第２レンズ２２との間に設置された第１遮光シート３１と、第２レンズ２２と第３レンズ２３との間に設置された第２遮光シート３２と、物体側から像側へ第３レンズ２３と第４レンズ２４との間に積層設置された第３遮光シート３３、遮光板３４及び第４遮光シート３５とを備える。遮光板３４は第３レンズ２３と第４レンズ２４との間に発生した迷光を吸収し、レンズモジュール１００の結像品質を向上させることに用いられる一方、第３レンズ２３と第４レンズ２４との間の距離を調整することにも用いられる。理解できるように、第３遮光シート３３、遮光板３４及び第４遮光シート３５は第３レンズ２３と第４レンズ２４との間に設置されることに限定されず、第３遮光シート３３、遮光板３４及び第４遮光シート３５は隣接する他の任意の２つのレンズの間に設置されてもよく、具体的に実際の必要に応じて設置される。当該レンズモジュール１００は、第４レンズ２４の像側に設置される押えリング３６をさらに備える。
【００１７】
説明する必要があるが、レンズ群２０は、上記の第１レンズ２１、第２レンズ２２、第３レンズ２３及び第４レンズ２４を含むように設置されることに限定されない。例えば、レンズ群２０は、上記の第１レンズ２１のみを含み、又は、上記の第１レンズ２１及び第２レンズ２２を含み、又は、上記の第１レンズ２１、第２レンズ２２及び第３レンズ２３を含み、さらに４つ以上のレンズを含むように設置されてもよく、具体的に実際の必要に応じて設定される。
【００１８】
本実施例の１つの改良形態として、鏡筒１０は、像側から物体側に向かって順次に延設された第１筒体１１と第２筒体１２を含み、第１筒体１１の外径は第２筒体１２の外径より大きく、第１筒体１１は、物体側に近い上面１１１と、上面１１１の光軸から離れた縁から像側に向かって延びる外壁１１２と含み、外壁１１２にねじ１１３が設けられており、外壁１１２には、少なくとも１つの溝１１４が光軸Ｌに向かって凹んで形成されており、溝１１４は上面１１１まで延びてねじ１１３を遮断する。当該設計方法で、第１筒体１１の外壁に少なくとも１つの溝１１４が光軸Ｌに向かって凹んで形成されることで、レンズモジュール１００が電子機器における固定部材に取り付けられる際に、溝１１４に接着剤を充填することによりレンズモジュール１００と固定部材を接着し、レンズモジュール１００の取付の確実性を向上させ、製品の品質を向上させることができる。
【００１９】
本実施例の１つの改良形態として、上面１１１には、係止保持溝１１５が像側に向かって凹んで形成されている。当該係止保持溝１１５は、装着器具の爪が係止保持溝１１５に係止されることによりレンズモジュール１００を電子機器の固定部材にねじ込むことに用いられる。
【００２０】
本実施例の１つの改良形態として、係止保持溝１１５は溝１１４と連通している。当該設計方法で、レンズモジュール１００が固定部材に装入された後、接着剤注入針は係止保持溝１１５を通して溝１１４に挿入され、溝１１４に接着剤を充填することが容易になる。理解できるように、係止保持溝１１５は溝１１４と連通しないように設置されてもよく、このような設置形態で、接着剤を溝１１４に予め注入してから、装着器具の爪を係止保持溝１１５に係止することにより、レンズモジュール１００を電子機器の固定部材にねじ込むことができる。
【００２１】
本実施例の１つの改良形態として、係止保持溝１１５は少なくとも２つが設けられており、係止保持溝１１５は第１筒体１１の周方向に均一に等間隔に配置されている。当該設計方法で、装着器具の爪が係止保持溝１１５に係止されることによりレンズモジュール１００を電子機器の固定部材にねじ込むことが容易になる。
【００２２】
本実施例の１つの改良形態として、溝１１４は少なくとも２つが設けられており、少なくとも２つの溝１１４は光軸Ｌに対して周方向に対称的に配置されており、かつ溝１１４は係止保持溝１１５と一対一に対応して連通している。当該設計方法で、溝１１４は補助取付構造として使用することができ、即ち、装着器具の爪が溝１１４に係止されることによりレンズモジュール１００を電子機器の固定部材にねじ込む。
【００２３】
本実施例の１つの改良形態として、溝１１４は１つが設けられており、溝１１４はいずれか１つの係止保持溝１１５と連通している。
【００２４】
本実施例の１つの改良形態として、係止保持溝１１５は２つが設けられており、２つの係止保持溝１１５は第１筒体１１の周方向に均一に等間隔に配置されている。
【００２５】
本実施例の１つの改良形態として、係止保持溝１１５は４つが設けられており、４つの係止保持溝１１５は第１筒体１１の周方向に均一に等間隔に配置されている。
【００２６】
本発明の実施例には、上記のようなレンズモジュール１００とレンズモジュール１００を収容するための固定部材とを備え、固定部材は第１筒体１１にねじ込み接続され、溝１１４内には、接着剤が充填されている電子機器が提供される。当該電子機器は携帯電話又はカメラである。
【００２７】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
2020109478.tif 000003
【図２】
2020109478.tif 000004
【図３】
2020109478.tif 000005
【手続補正書】
【提出日】令和2年3月20日(2020.3.20)
【手続補正１】
【補正対象書類名】特許請求の範囲
【補正対象項目名】請求項１
【補正方法】変更
【補正の内容】
【請求項１】
鏡筒と、前記鏡筒内に収容される、光軸を有するレンズ群とを備えるレンズモジュールであって、前記鏡筒は、像側から物体側に向かって順次に延設された第１筒体と第２筒体を含み、前記第１筒体の外径は前記第２筒体の外径より大きく、前記第１筒体は、物体側に近い上面と、前記上面の前記光軸から離れた縁から像側に向かって延びる外壁と、前記外壁の前記上面から離れた側に接続されかつ前記上面に対向する下面と含み、前記外壁にねじが設けられており、前記外壁には、少なくとも１つの溝が前記光軸に向かって凹んで形成されており、前記溝は前記下面から前記上面まで延びて全ての前記ねじを遮断することを特徴とするレンズモジュール。